(57)【要約】【課題】全体にボリューム感があり、泡立て効果に優れた石鹸泡立て具を提供する。【解決手段】細い合成繊維フィラメント糸を材料として筒状に編成されてなる筒状体１の中央部よりやや下側を捩ってこの捩り部より下側部分を裏返し、この裏返された部分の上端を上端口部２よりも下側位置で縫着して２重構造のネット状袋４を構成し、このネット状袋４の内部に上端口部２よりスポンジ状の発泡体５を収納し、発泡体５が収納されたネット状袋４は上端口部２が絞られた状態で閉じられボール状に作られている。【選択図】図３
0003135509.tif 000002
【実用新案登録請求の範囲】
【請求項１】
細い合成繊維フィラメント糸を材料として筒状に編成されてなる筒状体の中央部よりやや下側を捩ってこの捩り部より下側部分を裏返し、この裏返された部分の上端を上端口部よりも下側位置で縫着して２重構造のネット状袋を構成し、このネット状袋の内部に上端口部よりスポンジ状の発泡体を収納し、発泡体が収納されたネット状袋は上端口部が絞られた状態で閉じられてなることを特徴とする石鹸泡立て具。
【請求項２】
細い合成繊維フィラメント糸を材料として筒状に編成されてなる筒状体の中央部よりやや下側を捩ってこの捩り部より下側部分を裏返し、この裏返された部分の上端を上端口部よりも下側位置で縫着して２重構造のネット状袋を構成し、このネット状袋の内部に上端口部よりネット状泡立て材を収納し、ネット状泡立て材が収納されたネット状袋は上端口部が絞られた状態で閉じられてなることを特徴とする石鹸泡立て具。
【請求項３】
上端口部に吊り紐を装着したことを特徴とする請求項１または２記載の石鹸泡立て具。
【考案の詳細な説明】
【技術分野】
【０００１】
本考案は、洗面所や手洗い所などにおいて使用される石鹸を擦りつけ泡立てて使用するようにした石鹸泡立て具に関するものである。
【背景技術】
【０００２】
従来、この種石鹸泡立て具として、例えば特許文献１に開示されているような洗顔用泡立て具が知られている。この特許文献１に開示されている洗顔用泡立て具は、筒形のネット素材を一端から内外を反転させつつ折り返して、折り返し端部に開口部を備え、他端部を閉じた多重ネット袋を形成し、この多重ネット袋を洗顔料とともに湿潤して外側から揉んで細かな泡を立てられるようにしたものである。
【特許文献１】特開２０００−２４５６４９号公報
【考案の開示】
【考案が解決しようとする課題】
【０００３】
上記特許文献１に開示されているものでは、前記開口部より固形の石鹸を入れるか、多重ネット袋に液状の洗顔料を含ませるかして洗顔用泡立て具に適度の水をかけた状態で揉むことにより泡立て、この泡は洗顔用泡立て具の他端部側から一端部側に搾り出されて掌で受けて使用するものであるが、洗顔用泡立て具は多重ネット構造になっているものの搾り出し時において紐状に延びるようなものであってボリューム感がなく、泡立て効果に劣るという問題があった。
【０００４】
本考案の目的は、このような課題を解決するものであり、全体にボリューム感があり、泡立て効果に優れた石鹸泡立て具を提供することにある。
【課題を解決するための手段】
【０００５】
本考案の請求項１に記載の石鹸泡立て具は、細い合成繊維フィラメント糸を材料として筒状に編成されてなる筒状体の中央部よりやや下側を捩ってこの捩り部より下側部分を裏返し、この裏返された部分の上端を上端口部よりも下側位置で縫着して２重構造のネット状袋を構成し、このネット状袋の内部に上端口部よりスポンジ状の発泡体を収納し、発泡体が収納されたネット状袋は上端口部が絞られた状態で閉じられてなることを特徴とする。
【０００６】
請求項２に記載の石鹸泡立て具は、細い合成繊維フィラメント糸を材料として筒状に編成されてなる筒状体の中央部よりやや下側を捩ってこの捩り部より下側部分を裏返し、この裏返された部分の上端を上端口部よりも下側位置で縫着して２重構造のネット状袋を構成し、このネット状袋の内部に上端口部よりネット状泡立て材を収納し、ネット状泡立て材が収納されたネット状袋は上端口部が絞られた状態で閉じられてなることを特徴とする。
【０００７】
請求項３に記載の石鹸泡立て具は、上端口部に吊り紐を装着したことを特徴とする。
【考案の効果】
【０００８】
以上のように、本考案の石鹸泡立て具は、ネット状袋の内部にスポンジ状の発泡体あるいはネット状泡立て材を収納して作られているので、全体にボリューム感があり、泡立て効果に優れ、石鹸泡立て具に適量の水をかけて固形石鹸を擦りつけるか液状の洗顔料を含ませた状態で全体を揉むことにより泡立て、この泡を石鹸泡立て具から搾り取って掌で受けて手の洗浄や洗顔などに使用することができる。
【考案を実施するための最良の形態】
【０００９】
以下、本考案の実施の形態を、図面に基づいて説明する。
先ず、図１〜図６に示す第１の実施の形態について説明すると、１は細い合成繊維フィラメント糸を材料として円形編機により筒状に編成されたネット状筒状体で、この筒状体１の中央部よりやや下側を捩ってこの捩り部より下側部分を裏返し、この裏返された部分の上端を上端口部２よりも下側位置で縫着してある。３はその縫着部である。これにより２重構造のネット状袋４が作られる。５はこのネット状袋４の内部に上端口部２より収納されたスポンジ状の小さな発泡体で、この発泡体５はネット状袋４が丸く膨らむ程度に無数収納されている。無数の発泡体５が収納されたネット状袋４は上端口部２が絞られた状態で面状ファスナー６で閉じられボール状の石鹸泡立て具が完成する。７は両端を団子状に結んだ吊り紐で、この吊り紐７の団子状の結び部７ａは前記上端口部２を面状ファスナー６で閉じる前にネット状袋４の上端に挿入され、団子状の結び部７ａの上側で面状ファスナー６により上端口部２を閉じており、これにより吊り紐７は石鹸泡立て具から抜け外れないようになっている。
【００１０】
ところで、前記石鹸泡立て具を構成するネット状袋４は水を通すことができる程度に細かいメッシュ状に編まれている。
以上の構成の石鹸泡立て具を使用する場合、手洗い所や洗面所などにおいて吊り紐７が水道の蛇口８などに引っ掛けられた状態から吊り紐７を水道の蛇口８などから外し、石鹸泡立て具に適量の水をかけて固形石鹸を擦りつけるか液状の洗顔料を含ませた状態で全体を揉むことにより泡立て、この泡を石鹸泡立て具から搾り取って掌で受けて手の洗浄や洗顔などに使用するものである。本石鹸泡立て具はネット状袋４の内部にスポンジ状の発泡体５を詰め込んであるので、スポンジ状の発泡体５を詰め込まないものに比べて泡立て効果が格段に向上する。
【００１１】
ところで、本石鹸泡立て具で泡立てられる石鹸とは固形石鹸は勿論、液状の洗顔料などを含むものである。
また、前記ネット状袋４の上端口部２を絞った状態で閉じるために面状ファスナー６を用いているが、粘着テープなどを用いても良い。さらに、ネット状袋４の内部に詰め込まれるスポンジ状の発泡体５は図面に示す実施の形態ではサイコロ状の小さなものが使用されているが、長さの長い発泡体を使用するようにしても良い。
【００１２】
石鹸泡立て具を使用しない状態のときは前記吊り紐７を手洗い所に取り付けたフック８などに引っ掛けておけば良い。
次に、図７〜図８に示す第２の実施の形態について説明すると、前記第１の実施の形態ではネット状袋４の内部にスポンジ状の発泡体５を詰め込んで泡立て効果を向上させようとしているが、第２の実施の形態ではネット状袋４の内部にこのネット状袋４に多層に重なるようにネット状袋４と同様に細い合成繊維フィラメント糸を材料として円形編機により筒状に編成され上端が開口する複数枚のネット状内袋９を挿入しており、ネット状内袋９の上端をネット状袋４の上端に揃わせ、吊り紐７の団子状の結び部７ａを最内側のネット状内袋９の上端に挿入し、団子状の結び部７ａの上側で面状ファスナー６により上端口部２を閉じて石鹸泡立て具を完成している。
【００１３】
なお、ネット状袋４の内部にネット状内袋を団子状に丸めて挿入しても良く、あるいは筒状のままのネットを長さ方向に丸めて挿入しても良い。ネット状内袋の代わりにみかんなどを入れる硬いネット材料をネット状袋４に収納するようにしても良い。
【００１４】
要は、ネット状袋４の内部にネット状泡立て材を収納しておれば良い。
【図面の簡単な説明】
【００１５】
【図１】本考案の第１の実施の形態における石鹸泡立て具の筒状体を途中で捩った状態を示す斜視図である。
【図２】同石鹸泡立て具の筒状体を捩り部より下側部分で裏返して作られた２重構造のネット状袋の斜視図である。
【図３】同石鹸泡立て具の全体分解斜視図である。
【図４】同完成された石鹸泡立て具の斜視図である。
【図５】同完成された石鹸泡立て具の断面図である。
【図６】同石鹸泡立て具をフックに吊り下げた状態を示す斜視図である。
【図７】本考案の第２の実施の形態における石鹸泡立て具のネット状袋に複数枚のネット状内袋を挿入した状態を示す斜視図である。
【図８】同完成された石鹸泡立て具の斜視図である。
【符号の説明】
【００１６】
１      ネット状筒状体
２      上端口部
３      縫着部
４      ネット状袋
５      発泡体
６      面状ファスナー
７      吊り紐
７ａ    結び部
８      フック
９      ネット状内袋
【図１】
0003135509.tif 000003
【図２】
0003135509.tif 000004
【図３】
0003135509.tif 000005
【図４】
0003135509.tif 000006
【図５】
0003135509.tif 000007
【図６】
0003135509.tif 000008
【図７】
0003135509.tif 000009
【図８】
0003135509.tif 000010